(57)【要約】【課題】たとえ表面が割れたり欠けたりしてもコンクリート粒やアルカリ成分による海水汚染を招く恐れがなく、海底下に埋まってしまうのを防止でき、海底面が強固面だけでなく軟弱面であっても設置することができる沈錘を提供する。【解決手段】海底２に設置して海上浮遊物３を係留するために用いられる沈錘１であって、沈錘１の材質が、鋳鉄等の金属であり、この沈錘１の内部に、貫通孔１１が形成されている。この貫通孔１１は、沈錘１において複数段に形成されており、上下に隣接する貫通孔１１同士の長手方向が交差するように形成されている。前記沈錘１の材質が金属であるから、たとえ割れたり欠けたりしても、コンクリート製の沈錘と異なり、コンクリート粒やアルカリ成分による海水汚染を招く恐れがない。しかも、沈錘１は、その内部に貫通孔１１が形成されているので、沈錘を軽くすることができる。【選択図】        図１
2004268821.tif 000002
【特許請求の範囲】
【請求項１】
海底に設置して海上浮遊物を係留するために用いられる沈錘であって、
該沈錘の材質が、金属であり、
前記沈錘の内部に、空洞が形成されている
ことを特徴とする沈錘。
【請求項２】
前記沈錘が、鋳物である
ことを特徴とする請求項１記載の沈錘。
【請求項３】
前記空洞が、貫通孔である
ことを特徴とする請求項１記載の沈錘。
【請求項４】
前記空洞が、前記沈錘において複数段に形成されており、
上下に隣接する空洞同士の長手方向が交差するように形成されている
ことを特徴とする請求項１記載の沈錘。
【請求項５】
前記空洞の開口に、閉塞板が取り付けられた
ことを特徴とする請求項１記載の沈錘。
【請求項６】
前記沈錘に、吊り環が取付けられ、
該吊り環と海上浮遊物との間に係留チェーンが連結されており、
前記吊り環の材質が、前記係留チェーンの素材より耐摩耗性が高い金属である
ことを特徴とする請求項１記載の沈錘。
【請求項７】
前記沈錘に、吊り環が回転自在に取り付けられた
ことを特徴とする請求項１記載の沈錘。
【発明の詳細な説明】
【０００１】
【発明の属する技術分野】
本発明は、沈錘に関する。
【０００２】
【従来の技術】
従来より、海上浮遊物を係留するために用いられる沈錘は、コンクリートで製作されたものがほとんどである。しかし、コンクリート製の沈錘は、海底に沈めておくと、アルカリ成分が海中に溶出して海洋汚染を招来する。
また、コンクリート製の沈錘の吊り環に、係留チェーンの一端を連結し、係留チェーンの他端を灯浮標等の海上浮遊物に連結して係留した場合、潮流や潮の満干作用、風力等によって海上浮遊物が動くと、これに追随して係留チェーンも動く。このため、係留チェーンが沈錘の表面と擦れて、沈錘が削られ、コンクリート粒が海中に流出するとともに、より多くのアルカリ成分が海中に溶出して海洋汚染を招来する。このため、係留中はこれらの海洋汚染が継続することになる。
【０００３】
他方、従来の沈錘には、コンクリート部分の表面を金属板で被覆した閉鎖構造のものがある（例えば、特許文献１参照）。この沈錘は、コンクリート部分を金属板で被覆することにより、耐久性を高めることが狙いである。
【０００４】
【特許文献１】
特開２０００−３２２６３６号
【０００５】
【発明が解決しようとする課題】
しかるに、従来の沈錘には、以下の（ｉ）〜（ｉｉ）に示す問題がある。
（ｉ）コンクリート部分の表面が金属板で被覆されていても、金属板の溶接が不十分であったり、係留チェーンが当たって金属板が割れたりすると、金属板の隙間からコンクリートのアルカリ分が溶出してしまい、海洋汚染を招来する。
（ｉｉ）かといって、コンクリートの代わりに鉄等の金属で沈錘を製作した場合には、コンクリート沈錘に比べて耐摩耗性が優れているものの、比重は約３倍となって重くなり過ぎる。このため、沈錘を海底に設置すると、海底がヘドロ等の軟弱面である場合には、沈錘の自重により海底下に埋まってしまい、点検や修理の引き上げ作業が困難となる。しかも、沈錘の設置場所が強固な場所に限定されるというデメリットがある。
【０００６】
本発明はかかる事情に鑑み、たとえ表面が割れたり欠けたりしてもコンクリート粒やアルカリ成分による海水汚染を招く恐れがなく、海底下に埋まってしまうのを防止でき、海底面が強固面だけでなく軟弱面であっても設置することができる沈錘を提供することを目的とする。
【０００７】
【課題を解決するための手段】
請求項１の沈錘は、海底に設置して海上浮遊物を係留するために用いられる沈錘であって、該沈錘の材質が、金属であり、ことを特徴とする。
請求項２の沈錘は、請求項１の発明において、前記沈錘が、鋳物であることを特徴とする。
請求項３の沈錘は、請求項１の発明において、前記空洞が、貫通孔であることを特徴とする。
請求項４の沈錘は、請求項１の発明において、前記空洞が、前記沈錘において複数段に形成されており、上下に隣接する空洞同士の長手方向が交差するように形成されていることを特徴とする。
請求項５の沈錘は、請求項１の発明において、前記空洞の開口に、閉塞板が取り付けられたことを特徴とする。
請求項６の沈錘は、請求項１の発明において、前記沈錘に、吊り環が取付けられ、該吊り環と海上浮遊物との間に係留チェーンが連結されており、前記吊り環の材質が、前記係留チェーンの素材より耐摩耗性が高い金属であることを特徴とする。
請求項７の沈錘は、請求項１の発明において、前記沈錘に、吊り環が回転自在に取り付けられたことを特徴とする。
【０００８】
【発明の実施の形態】
つぎに、本発明の実施形態を図面に基づき説明する。
図５は本実施形態の沈錘１の使用説明図である。同図に示すように、本実施形態の沈錘１は、この沈錘１と灯浮標等の海上浮遊物３との間を係留チェーン４で連結し、海底２に設置して海上浮遊物３を係留するために用いられるものである。
なお、沈錘１は、灯浮標だけでなく、係船ブイや浮桟橋などの海上浮遊物３を係留するためにも使用することができる。
【０００９】
図１は本実施形態の沈錘１の概略斜視図である。同図に示すように、本実施形態の沈錘１は、鋳鉄で製作された鋳物である。沈錘１は鋳物であるから、接合部分をなくすことができ、頑強な構造にすることができる。
なお、沈錘１は、鋳鉄だけでなく、ステンレス鋼や普通鋼、合金鋼など、海洋汚染の恐れのない金属で製作してもよい。
【００１０】
沈錘１の材質が、金属であるから、たとえ割れたり欠けたりしても、コンクリート製の沈錘と異なり、コンクリート粒やアルカリ成分による海水汚染を招く恐れがない。
【００１１】
図２〜図４は、本実施形態の沈錘１の正面図、側面図および平面図である。図２〜図４に示すように、沈錘１は、沈錘本体１０に、この内部を水平方向に貫通する貫通孔１１が形成されたものである。沈錘本体１０は、鋳鉄の湯が固まって形成された部分であり、貫通孔１１は中子が抜き取られた部分である。
なお、沈錘本体１０の形状は、図では四角い直方体であるが、円筒形や長円筒形でもよく、特に限定はなく任意である。
【００１２】
沈錘１は、その内部に貫通孔１１が形成されているので、沈錘１を軽くすることができる。このため、沈錘１を海底２に沈めたときに、沈錘１が海底２と接触する接触面において、沈錘１の接触面から海底２に加わる圧力を海底の地耐力より小さくすることができるので、沈錘１が海底２の下に埋まってしまうのを防止できる。この結果、沈錘１を海底２に設置するときに、海底面が強固面だけでなく軟弱面であっても設置することができる。
さらに、貫通孔１１が形成されているので、大型魚に追いかけられた小魚は、貫通孔１１の奥に身を潜めて隠れることができるので、小魚の育成場を提供でき、沈錘１を魚が棲みやすい漁礁をとして機能させることができる。
【００１３】
しかも、貫通孔１１は沈錘１の内部を貫通しているから、潮流等により貫通孔１１内に海水が流れやすく、貫通孔１１に新鮮な海水を供給することができる。よって、稚魚や魚卵、海藻の生育に好適な環境を提供できる。
【００１４】
なお、沈錘本体１０には、必ずしも貫通孔だけでなく、途中で行き止まりになった空洞を形成してもよい。空洞であれば、沈錘本体１０の上端面から垂直下向き方向に形成してもよい。
【００１５】
前記貫通孔１１は、沈錘本体１０において、３段４列で形成されている。
なお、貫通孔１１の段数および列数は、任意である。
【００１６】
そして、最下段の貫通孔１１および３段目の貫通孔１１は、沈錘本体１０の前後方向に水平に貫通して形成されている。このため、最下段および３段目において、左右に隣接する貫通孔１１，１１間の壁１２は、沈錘本体１０の前後方向に沿って延びている。
他方、２段目の貫通孔１１は、沈錘本体１０の左右方向に水平に貫通して形成されている。２段目において、左右に隣接する貫通孔１１，１１間の壁１２は、沈錘本体１０の左右方向に沿って延びている。
つまり、上下に隣接する貫通孔１１、１１同士の長手方向は、直交して交差するようになっている。
なお、上下に隣接する貫通孔１１、１１同士の長手方向は、必ずしも直交して交差していなくてもよく、斜めに交差していてもよい。
【００１７】
したがって、各段における壁１２は、その上段または下段の壁１２の長手方向に交差するように、形成されている。このため、沈錘１の前後方向に加わる力に対しては、左右方向に延びた壁１２で支持でき、沈錘１の左右方向に加わる力に対しては、前後方向に延びた壁１２で支持できるから、沈錘１の構造を頑強なものにできる。
【００１８】
つぎに、吊り環２０について説明する。
前記沈錘本体１０の上面には、吊り環２０が取り付けられている。この吊り環２０は、湾曲した棒材であり、その両端部がそれぞれ沈錘本体１０の上面に固着されている。
この吊り環２０に、係留チェーン４の一端を連結し、係留チェーン４の他端に海上浮遊物３を連結することにより、沈錘１によって海上浮遊物３を係留することができる。
【００１９】
とくに、吊り環２０の材質を、これに連結する係留チェーン４の素材より耐摩耗性が高い金属にすると好適である。例えば、係留チェーン４がチェーン用丸鋼の場合には、吊り環２０の材質をクロムモリブデン鋼にするとよい。
この場合、吊り環２０が係留チェーン４から受ける偏摩耗を防止することができる。
【００２０】
この固定式の吊り環２０の代わりに、図６に示す回転式の吊り環３０を使用すると好適である。
この吊り環３０は、沈錘本体１０の上面に、水平面内に回転自在に取り付けられたものである。沈錘本体１０の上面には、上下方向に貫通する貫通孔１５が形成されている。貫通孔１５は、下部の径に比べて上部の径は小さく形成されている。
この貫通孔１５には、ボルト３１が軸部を上向きにして挿入されている。ボルト３１は軸部よりも頭部が大きいので、ボルト３１が上方向に引っ張られても、貫通孔１５から抜けないようになっている。
【００２１】
ボルト３１の軸部には、連結用環３３が水平面内で回転自在に取り付けられている。連結用環３３は、管状の部材であり、下部分には上下方向に連通孔３４が形成されている。この連結用環３３の連通孔３４に、前記ボルト３１の軸部が嵌入されているので、連結用環３３を水平面内で回転させることができる。
ボルト３１の先端部には、ナット３２が溶接等により固着されている。このため、連結用環３３がボルト３１の軸部から抜け出るのを防止できる。
【００２２】
なお、連結用環３３がボルト３１の軸部に対して回転自在に取り付けられてさえいれば、ボルト３１は、貫通孔１５に必ずしも回転自在に取り付けられていなくてもよく、固定されていてもよい。
【００２３】
沈錘１に吊り環３０が回転自在に取り付けられているので、吊り環３０に取り付けられる係留チェーン４の動きに応じて連結用環３３は回転する。このため、吊り環３０が係留チェーン４から受ける偏摩耗を防止することができる。しかも、沈錘１が金属製であるから、吊り環３０が回転して沈錘１に擦れても、沈錘１が削られないので、コンクリート粒やアルカリ成分による海水汚染を招く恐れが全くない。
【００２４】
上記のごとく、本実施形態の沈錘１によれば、たとえ表面が割れたり欠けたりしてもコンクリート粒やアルカリ成分による海水汚染を招く恐れがなく、海底２の下に埋まってしまうのを防止でき、海底面が強固面だけでなく軟弱面であっても設置することができ、しかも魚を育成させるのに好適な環境を提供できるという効果を奏する。
【００２５】
図７は他の実施形態の沈錘１Ｂにおける概略斜視図である。同図に示すように、沈錘１Ｂは、前記沈錘１において、その四側面に閉塞板３０が取り付けられたものである。閉塞板３０によって、貫通孔１１の両端における開口がいずれも塞がれている。
この沈錘１Ｂによれば、閉塞板３０によって、貫通孔１１に砂が入るのを防止できるので、設置場所が砂地の場合に、沈錘１が砂地に埋まるのを防止することができる。
【００２６】
なお、図では全ての貫通孔１１の開口が閉塞されているが、一部の貫通孔１１のみ閉塞して、残りの貫通孔１１を閉塞しないハイブリッド型であってもよい。例えば、下段の貫通孔１１の開口にのみ閉塞板３０が取り付けられ、残りの中段および上段の貫通孔１１の開口には閉塞板３０が取り付けられていない構造にしてもよい。この場合、閉塞している下段の貫通孔１１には砂が入らず、中段および上段の貫通孔１１を漁礁として機能させることができる。
【００２７】
【発明の効果】
請求項１の発明によれば、沈錘の材質が、金属であるから、たとえ割れたり欠けたりしても、コンクリート製の沈錘と異なり、コンクリート粒やアルカリ成分による海水汚染を招く恐れがない。しかも、沈錘は、その内部に空洞が形成されているので、沈錘を軽くすることができる。このため、沈錘を海底に沈めたときに、沈錘が海底と接触する接触面において、沈錘の接触面から海底に加わる圧力が海底の地耐力より小さくすることができるので、沈錘が海底下に埋まってしまうのを防止できる。この結果、沈錘を海底に設置するときに、強固面だけでなく軟弱面であっても設置することができる。さらに、空洞が形成されているので、大型魚に追いかけられた小魚は、空洞の奥に身を潜めて隠れることができ、小魚の育成場を提供でき、沈錘を魚が棲みやすい漁礁をとして機能させることができる。
請求項２の発明によれば、沈錘は鋳物であるから、接合部分をなくすことができ、頑強な構造にすることができる。
請求項３の発明によれば、空洞が貫通孔であるから、潮流等により貫通孔に海水が流れやすく、貫通孔に新鮮な海水を供給することができる。よって、稚魚や魚卵、海藻の生育に好適な環境を提供できる。
請求項４の発明によれば、各段において左右に隣接する貫通孔間の壁は、その上段または下段の壁の長手方向に交差するように、形成されている。このため、沈錘の前後方向に加わる力に対しては、左右方向に延びた壁で支持でき、沈錘の左右方向に加わる力に対しては、前後方向に延びた壁で支持できるから、沈錘の構造を頑強なものにできる。
請求項５の発明によれば、閉塞板によって、貫通孔に砂が入るのを防止できるので、設置場所が砂地の場合に、沈錘が砂地に埋まるのを防止することができる。
請求項６の発明によれば、吊り環の材質が、係留チェーンの素材より耐摩耗性が高い金属であるから、吊り環が係留チェーンから受ける偏摩耗を防止することができる。
請求項７の発明によれば、沈錘に吊り環が回転自在に取り付けられているので、吊り環に取り付けられる係留チェーンの動きに応じて吊り環は回転する。このため、吊り環が係留チェーンから受ける偏摩耗を防止することができる。しかも、沈錘が金属製であるから、吊り環が回転して沈錘に擦れても、沈錘が削られないので、コンクリート粒やアルカリ成分による海水汚染を招く恐れが全くない。
【図面の簡単な説明】
【図１】本実施形態の沈錘１の概略斜視図である。
【図２】本実施形態の沈錘１の正面図である。
【図３】本実施形態の沈錘１の側面図である。
【図４】本実施形態の沈錘１の平面図である。
【図５】本実施形態の沈錘１の使用説明図である。
【図６】（Ａ）図は他の吊り環３０の正面断面図であり、（Ｂ）図は連結用環３３を水平面内で９０度回転させた状態の図である。
【図７】他の実施形態の沈錘１Ｂにおける概略斜視図である。
【符号の説明】
１  沈錘
２  海底
３  海上浮遊物
４  係留チェーン
１０  沈錘本体
１１  貫通孔
２０  吊り環
３０  吊り環
【図１】
2004268821.tif 000003
【図２】
2004268821.tif 000004
【図３】
2004268821.tif 000005
【図４】
2004268821.tif 000006
【図５】
2004268821.tif 000007
【図６】
2004268821.tif 000008
【図７】
2004268821.tif 000009